(57)【要約】【課題】  ロータの内壁側を形成する金型の強度確保が図れ、しかもこの金型を分割することなく動作することができるレンズ駆動装置を提供すること。【解決手段】  レンズ駆動装置１において、カムシリンダ４０の回転を光軸Ｌに沿う方向への駆動力に変換して移動レンズ体２０、３０を直動させる変換機構７を有し、変換機構７は、移動レンズ体２０、３０に形成した突起部２２１、３２１と係合するカム溝４１、４２を内壁に備えたカムシリンダ４０と、前記移動レンズ体の前記直動を許容するとともに前記光軸周りへの回転を阻止する回転阻止部材１２とから構成され、カムシリンダ４０は、周方向へ複数の分割体に分割されている。【選択図】    図４
2005208354.tif 000002
【特許請求の範囲】
【請求項１】
レンズを備えた移動レンズ体と、該移動レンズ体を前記レンズの光軸に沿って移動させる駆動手段とを有するレンズ駆動装置において、
前記駆動手段は、前記移動レンズ体を外周側で囲むように配置されて前記光軸周りに回転するリング状のロータを備えた電磁機構と、前記ロータの回転を前記光軸に沿う方向への駆動力に変換して前記移動レンズ体を直動させる変換機構とを備え、
前記変換機構は、前記移動レンズ体に形成した凸部および凹部のいずれか一方側と係合する前記凸部および前記凹部のいずれか他方側を内壁に備えた前記ロータと、前記移動レンズ体の前記直動を許容するとともに前記光軸周りへの回転を阻止する回転阻止部材とから構成され、
前記ロータは、周方向へ分割された複数の分割体により構成されたことを特徴とするレンズ駆動装置。
【請求項２】
請求項１において、前記分割体は、少なくとも一方側の分割部が隣接する前記分割体の分割部と連結された連結部を有することを特徴とするレンズ駆動装置。
【請求項３】
請求項２において、前記連結部によって全ての前記分割体が連結されていることを特徴とするレンズ駆動装置。
【請求項４】
請求項１ないし３のいずれかにおいて、前記ロータは、前記電磁機構としてのリング状のマグネットとは別体に形成したカムシリンダとし、当該カムシリンダを前記マグネットの内壁に固定したことを特徴とするレンズ駆動装置。
【請求項５】
請求項４において、前記カムシリンダは、樹脂により形成されたことを特徴とするレンズ駆動装置。
【請求項６】
請求項５において、前記カムシリンダは、出射成形によって一体に形成されたことを特徴とするレンズ駆動装置。
【発明の詳細な説明】
【技術分野】
【０００１】
本発明は、カメラなどに用いられるレンズ駆動装置に関するものである。
【背景技術】
【０００２】
カメラ付き携帯機器などに搭載される薄型カメラは、撮影時における焦点調整やズーム調整を行うためのレンズ移動距離が通常のカメラに比較して短いので、レンズを直接、磁気駆動するレンズ駆動装置が用いられている。
【０００３】
このような磁気駆動タイプのレンズ駆動装置としては、例えば、モータの回転力を直進運動に変換する変換機構を利用するものがある。具体的には、モータのロータ磁石の内壁部に、レンズの合焦位置の移動軌跡に合わせたカム溝を形成し、このカム溝に、レンズが保持されたレンズホルダのガイドコロを係合させ、ロータ磁石の回転に伴ってレンズホルダを光軸方向に直動させるものが案出されている（例えば、特許文献１参照）。
【特許文献１】特開昭６０−４１５号公報
【発明の開示】
【発明が解決しようとする課題】
【０００４】
しかしながら、特許文献１に開示のレンズ駆動装置では、一体に形成されたリング状のロータ磁石の内周部に直接、有底カム溝が設けられている。このロータ磁石を金型を用いて形成する場合、成型物であるロータ磁石を金型から離型する際には、ロータ磁石の内側に配設される内型を、一旦、ロータ磁石の中心側へ動作させ、有底カム溝を形成した突起を有底カム溝から外さなければならない。そのためには、内型を複数に分割する必要があり、金型およびこの金型を動作させる装置が複雑化するという問題点がある。また、カメラ付き携帯機器などに搭載される薄型カメラ用のロータ磁石は、直径が５ｍｍ程度の極小のため、内型を小型化しつつ強度確保を図らなければならず、内型の製造が非常に困難であるという問題がある。
【０００５】
以上の問題点に鑑みて、本発明の課題は、ロータの内壁側を形成する金型の強度確保が図れ、しかもこの金型を分割する必要がないレンズ駆動装置を提供することにある。
【課題を解決するための手段】
【０００６】
上記課題を解決するために、本発明では、レンズを備えた移動レンズ体と、該移動レンズ体を前記レンズの光軸に沿って移動させる駆動手段とを有するレンズ駆動装置において、前記駆動手段は、前記移動レンズ体を外周側で囲むように配置されて前記光軸周りに回転するリング状のロータを備えた電磁機構と、前記ロータの回転を前記光軸に沿う方向への駆動力に変換して前記移動レンズ体を直動させる変換機構とを備え、前記変換機構は、前記移動レンズ体に形成した凸部および凹部のいずれか一方側と係合する前記凸部および前記凹部のいずれか他方側を内壁に備えた前記ロータと、前記移動レンズ体の前記直動を許容するとともに前記光軸周りへの回転を阻止する回転阻止部材とから構成され、前記ロータは、周方向へ分割された複数の分割体により構成されたことを特徴とする。
【０００７】
本発明において、前記分割体は、少なくとも一方側の分割部が隣接する前記分割体の分割部と連結された連結部を有していることが好ましい。このように構成すると、複数の分割体を組部品としてまとめて取り扱うことができる。また、本発明において、前記連結部によって全ての前記分割体が連結されていることが好ましい。このように構成すると、ロータを完成させるのに必要な全ての分割体を１つの組部品として取り扱うことができる。しかも、複数の分割体に形成された凸部または凹部の位置精度を容易に確保することができる。
【０００８】
本発明において、前記ロータは、電磁機構としてのリング状のマグネットとは別体に形成したカムシリンダとし、当該カムシリンダを前記マグネットの内壁に固定することが好ましい。このように構成すると、カムシリンダを展開した状態で成型した後、このカムシリンダをリング状のマグネットの内壁に固定することにより正確なリング状にすることができる。また、カムシリンダは樹脂で形成することが好ましい。このように構成すれば、移動レンズ体に形成した凸部または凹部との摺動性を考慮した材料の選択が容易にできる。しかも、樹脂は可撓性が大きく、分割体をリング状にするのに伴い連結部を屈曲する際の伸縮に対して耐性があるので、カムシリンダを破損することなくリング状にすることができる。さらに、カムシリンダを出射成形によって一体に形成することが好ましい。
【発明の効果】
【０００９】
本発明に係るレンズ駆動装置は、ロータが、周方向へ複数の分割体に分割されているので、ロータを、展開した状態で成形することができる。故に、ロータの内壁側を形成する金型を成形したロータの分割部から外方へ突出して構成することができる。従って、金型を厚く形成できるため金型の強度確保が図れる。しかも、金型をロータの分割部から外方へ動作することができるので、ロータの内壁に凸部または凹部を形成した後、金型を分割することなく成形したロータから離型することができる。そのため、分割した金型をそれぞれ動作する動作機構が不要となり金型装置の小型化が図れる。
【発明を実施するための最良の形態】
【００１０】
以下に、図面を参照して、本発明を適用したレンズ駆動装置を説明する。
【００１１】
（全体構成）
図１は、本発明を適用したレンズ駆動装置の断面図である。なお、図１において、左半分にはレンズが広角位置にある状態を示し、右半分には望遠位置にある状態を示してある。
【００１２】
図１において、本形態のレンズ駆動装置１は、レンズ系として、光軸方向に沿って被写体の側から順に、固定レンズ１１、前側の移動レンズ２１、後側の移動レンズ３１を有しており、移動レンズ２１の後側（光軸方向における奥側）には絞り２３が固着されている。３枚のレンズのうち、固定レンズ１１は、外側の円筒状の回転阻止部材１２が一体に構成され固定レンズ体１０になっている。一方、移動レンズ２１は、外側のレンズホルダ２２が一体に構成され移動レンズ体２０になっており、移動レンズ３１は、外側のレンズホルダ３２が一体に構成され移動レンズ体３０になっている。なお、レンズ２１、３１、およびレンズホルダ２２、３２などは、ＰＯＭ、ＰＡ、ＡＳ、ＡＢＳ、ＰＥなどの樹脂で構成されている。
【００１３】
このような２枚のレンズを光軸Ｌに沿って駆動する駆動手段として、本形態では、移動レンズ体２０、３０の周りには電磁機構３が構成され、さらに、この電磁機構３のマグネット６１の回転を光軸Ｌに沿う方向への駆動力に変換して移動レンズ体２０、３０を直動させる変換機構７とを備えている。
【００１４】
なお、本形態のレンズ駆動装置１において、光学系、電磁機構３、および変換機構７などはケース９に収納されている。ケース９は、ケース本体９１と、このケース本体９１に光軸Ｆに沿った方向から嵌るケース蓋９２とを備えている。ケース蓋９２には、光路を確保するための開口が形成されている。
【００１５】
（電磁機構３の構成）
本形態のレンズ駆動装置１において、電磁機構３は、ＰＭ型ステッピングモータと同一の構造を有しており、外周面が周方向に多極着磁されたリング状のマグネット６１と、リング状のマグネット６１の外周面に対向するステータ６２とを備えている。マグネット６１には、移動レンズ体２０、３０を外周側で囲むように配置されたロータとしてのリング状のカムシリンダ４０がその内壁に固定されている。ステータ６２は、光軸方向に沿って配置された２つの駆動コイルを有している。いずれの駆動コイルも光軸方向の両側から外ステータコアおよび内ステータコアに挟まれており、外ステータコアおよび内ステータコアには、駆動コイルの内周面に沿って交互に並ぶ複数の極歯が形成されている。
【００１６】
（変換機構７の構成）
図２は、図１に示すレンズ駆動装置に用いた回転阻止部材の斜視図である。図３（Ａ）、（Ｂ）、（Ｃ）は、図１に示すレンズ駆動装置において、移動レンズ体の供回りを阻止するための構成の説明図、カムシリンダに形成されているカム溝の説明図、および図２（Ｂ）に示すカム溝のＡ−Ａ’断面図である。
【００１７】
図１において、変換機構７は、まず、移動レンズ体２０、３０の光軸周りの供回りを阻止するリング状の回転阻止部材１２と、カムシリンダ４０とを有している。
【００１８】
図２に示すように、回転阻止部材１２には、光軸方向に延びた３本のスリット１５が周方向に並列して形成されている。
【００１９】
図３（Ａ）に示すように、移動レンズ体２０、３０において、レンズホルダ２２、３２の周囲には、凸部としての突起部２２１、３２１が形成されている。突起部２２１、３２１は、それぞれ１２０°間隔で３箇所、形成されており、その根元部分がレンズ２１、３１を支持する支持部２２２、３２２と突起部２２１、３２１とを連結する連結腕部２２３、３２３になっている。従って、突起部２２１、３２１を回転阻止部材１２のスリット１５から外側に突き出させた状態で、連結腕部２２３、３２３は、回転阻止部材１２のスリット１５内に位置する。それ故、レンズ移動体２０、３０の回転は、回転阻止部材１２のスリット１５で阻止されることになる。
【００２０】
なお、本形態では、３つの連結腕部２２３、３２３のうちの１つは、長く、かつ、湾曲しているため、弾性力が付与されている。このため、移動レンズ体２０、３０の３本の突起部２２１、３２１を、図３（Ｂ）を参照して以下に説明するカムシリンダ４０のカム溝４１、４２に挿入しやすくなる。しかも、移動レンズ体２０、３０は、光軸Ｌ方向と直交する半径方向では遊びがなく、カム溝４１、４２で支持された状態で光軸方向に移動することができる。
【００２１】
再び図１において、本形態では、回転阻止部材１２を外周側で囲むようにカムシリンダ４０が配置されている。このカムシリンダ４０の内壁には、その展開図を図３（Ｂ）に示すように、凹部としてのカム溝４１、４２が開口している。２種類のカム溝４１、４２のうち、カム溝４１は、周方向に３本が並設され、前側の移動レンズ体２０の３本の突起部２２１にそれぞれ対応した斜め直線状の溝になっている。従って、カム溝４１に突起部２２１を係合させて、カムシリンダ４０を回転させると、カム溝４１に沿って突起部２２１が移動し、移動レンズ体２０が光軸Ｌ方向に移動することになる。また、カム溝４２は、周方向に３本が並設され、後側の移動レンズ体３０の３本の突起部３２１にそれぞれ対応した円弧状の溝になっている。従って、カム溝４２に突起部３２１を係合させて、カムシリンダ４０を回転させると、カム溝４１に沿って突起部３２１が移動し、移動レンズ体３０が光軸Ｌ方向に移動することになる。カム溝４１とカム溝４２とはそれぞれ１本づつがカム溝対になって光軸Ｌ方向に並設されている。このカム溝対は周方向に３対形成され、隣接するカム溝対の間に後述する連結部４０ａが光軸Ｌに沿って形成されている。
【００２２】
カム溝４１は、図３（Ｃ）にその断面を示すように突起部２２１の外郭に沿う有底形状に形成されているため、長く形成された連結腕部２２３によって突起部２２１がカム溝４１に弾性的に当接されることにより、移動レンズ体２０が光軸Ｌ方向へ遊びがなく、カム溝４１で支持された状態で光軸方向に移動することができる。なお、カム溝４１と同様にカム溝４２も構成されており、移動レンズ体３０が光軸Ｌ方向へ遊びがなく、カム溝４２で支持された状態で光軸方向に移動することができる。
【００２３】
なお、カムシリンダ４０は、滑りのよいもの、例えば、ＰＯＭ、ＰＡ、ＡＳ、ＡＢＳ、ＰＥなどの樹脂から構成されており、内面転写法などにより精度の高い溝加工が施されている。
【００２４】
（カムシリンダ４０の構成）
図４（Ａ）、（Ｂ）は、カムシリンダを展開し、光軸方向から見た平面図、および（Ａ）における連結部周辺を拡大して示す拡大図である。図５（Ａ）、（Ｂ）は、図４に示すカムシリンダをリング状にし、光軸方向から見た平面図、および（Ａ）における連結部周辺を拡大して示す拡大図である。
【００２５】
本形態におけるカムシリンダ４０は、図４（Ａ）に示すように３分割されており、中央に位置する分割体の両端の分割部４０ｂが外側に位置する２つの分割体の分割部４０ｂと連結部４０ａによってそれぞれ連結されている。連結部４０ａは、図５（Ａ）に示すように、カムシリンダ４０をリング状にしたときの分割部４０ｂの外壁側に形成されており、分割部４０ｂから先端に向かって尖ったくちばし状に突出形成され、その先端が連結されている。一方、カムシリンダ４０をリング状にしたときの分割部４０ｂの内壁側は図５（Ｂ）に示すように、当接して位置決めされている。なお、連結部４０ａは光軸Ｌ方向に沿って形成されているが、光軸Ｌに対し所定の角度を有して形成されていてもよい。
【００２６】
カムシリンダ４０は、図４（Ａ）の点線で図示した金型Ｍ、Ｎからなる金型装置を用いて展開した状態で出射成型された後、両側に位置する分割体の連結部４０ａが形成された分割部４０ｂと反対側に位置する分割部４０ｂを互いに当接させることにより、図５（Ａ）に示すようなリング状でマグネット６０の内壁に固定されている。
【００２７】
（レンズ駆動装置１を搭載したカメラのシステム構成例）
図６は、本発明を適用したレンズ駆動装置を搭載したカメラのシステム構成図である。
【００２８】
本形態のレンズ駆動装置１をカメラ８０に搭載する場合には、光軸に沿った奥側には、被写体からの反射光をレンズ１１および移動レンズ２１、３１に取り込んで撮像する撮像素子（図示せず）が配置される。
【００２９】
このようなカメラ８０では、図６に示すように、レンズ２１、３１を有する移動レンズ体２０、３０を駆動してズーミング動作を実現するズームドライバ８１と、撮像素子８２から得られる画像信号を処理するＩＳＰ（Ｉｍａｇｅ  Ｓｉｇｎａｌ  Ｐｒｏｃｅｓｓｏｒ）８３と、画像データを保存するストレージデバイス８４と、コントロールロジック部８５と、電子処理するための画像を一時保管する単数あるいは複数のメモリ８６と、光学画像や電子処理された電子画像を表示する表示手段８７と、これらの各部材をコントロールするシステムコントローラとしてのＭＰＵ（Ｍｉｃｒｏ  Ｐｒｏｃｅｓｓｉｎｇ  Ｕｎｉｔ）８８とを有している。
【００３０】
ここで、レンズ駆動装置１に相当するカメラモジュールは、レンズ２１、３１を含む移動レンズ体２０、３０等からなるレンズ駆動装置１のメカ部分と、撮像素子８２のズームドライバ８１と、ＩＳＰ８３とから構成され、コントロールロジック部８５とＭＰＵ８８とによって制御部が構成される。また、撮像素子８２とＩＳＰ８３と制御部とによって画像取得手段が構成される。ＭＰＵ８８は、ズーム指令を読み取るズーム指令読取手段とからなり、レンズ２１、３１の操作位置を確認する操作位置確認手段となり、また、レンズ２１、３１の位置を検出する現在位置検出手段ともなる。
【００３１】
なお、レンズ２１、３１の位置、すなわち、移動レンズ体２０、３０の位置を検出するセンサを設けることにより、そのセンサが現在位置検出手段の一部を構成するようにしてもよい。また、コントロールロジック部８５は、ＭＰＵ８８の内部に組み込むようにしてもよい。また、表示手段８７は、液晶素子からなる表示素子と、その表示素子を駆動する表示ドライバとからなる。表示ドライバは、回路基板８９内に配置するようにしてもよい。また、表示素子としては、ＬＥＤ（Ｌｉｇｈｔ  Ｅｍｉｔｔｉｎｇ  Ｄｉｏｄｅ）やＥＬ（Ｅｒｅｃｔｒｏ  Ｌｕｍｉｎｅｓｃｅｎｃｅ）、その他の表示素子を用いてもよい。また、メモリ８６を図５に示すように、複数設けると、一時的に保存した画像を利用して、よりスムーズな電子処理（デジタル処理）を行ってデジタルズームを実行したり、複数の異なる解像度の画像を合成することができる。
【００３２】
（移動レンズ２１、３１に対する駆動方法）
図１〜図６を参照して、移動レンズ体２０、３０に対する光軸Ｌ方向への駆動方法を説明する。
【００３３】
まず、レンズ２１、３１が最も前方側に位置する広角位置にあるとする。広角位置は、図１の左半分に図示する位置であり、移動レンズ体２０、３０がともに、前方に移動した位置である。レンズ２１、３１が広角位置にあるとき、ズームスイッチを操作し、ＭＰＵ８８が拡大ズーミング指令を受け取ると、ズームドライバ８１に移動レンズ体２０、３０を望遠側に駆動する指令を出す。そうすると、ズームドライバ８１は、ステータ６２の駆動コイルに通電し、マグネット６１が回転する。本形態では、マグネット６１の内壁にロータとしてのカムシリンダ４０が接着固定されている。故に、マグネット６１とともにカムシリンダ４０が回転する。ここで、カムシリンダ４０が、図３（Ｂ）の矢印Ｘ方向に回転すると、レンズ２１、３１が広角位置から望遠位置に移動し、図３（Ｂ）の矢印Ｙ方向に回転すると、レンズ２１、３１が望遠位置から広角位置に移動する。
【００３４】
すなわち、カムシリンダ４０が光軸Ｌ周りに矢印Ｘ方向に回転すると、突起部２２１、３２１は、カムシリンダ４０とともに、図３（Ａ）の矢印Ｗ方向に回転するが、スリット１５内で連結腕部２２３、３２３がスリット１５の一方側の側壁１５２に突き当たる。従って、移動レンズ体２０、３０の光軸周りの回転が阻止される。このため、移動レンズ体２０、３０の突起部２２１、３２１がカムシリンダ４０のカム溝４１、４２に沿って移動する結果、移動レンズ体２０、３０は、光軸に沿って奥側に移動する。このようにして移動レンズ体２０、３０は、図１の右半分に示すように、広角位置から望遠位置に移動していく。
【００３５】
これに対して、カムシリンダ４０が光軸Ｌ周りに矢印Ｙ方向に回転すると、突起部２２１、３２１は、カムシリンダ４０とともに、図３（Ａ）の矢印Ｖ方向に回転するが、スリット１５内で連結腕部２２３、３２３がスリット１５の他方側の側壁１５１に突き当たる。従って、移動レンズ体２０、３０の光軸周りの回転が阻止される。このため、移動レンズ体２０、３０の突起部２２１、３２１がカムシリンダ４０のカム溝４１、４２に沿って移動する結果、移動レンズ体２０、３０は、光軸に沿って前側に移動する。このようにして移動レンズ体２０、３０は、図１の右半分に示す望遠位置から、図１の左半分に示す広角位置に戻る。
【００３６】
（本形態の効果）
以上説明したように、本形態のレンズ駆動装置１は、カムシリンダ４０が、周方向へ分割された複数の分割体により構成され、カムシリンダ４０が、展開した状態で出射成形されるので、カムシリンダ４０の内壁側を形成する金型Ｍをカムシリンダ４０の分割部４０ｂから上方へ突出して構成することができる。従って、金型を上下方向に厚く形成できるため強度確保が図れる。しかも、カムシリンダ４０の内壁にカム溝４１、４２を形成した後、金型をカムシリンダ４０の分割部４０ｂから上方へ動作することができるので、カムシリンダ４０の内壁にカム溝４１、４２を形成した後、金型を分割することなく成形したカムシリンダ４０から離型することができる。そのため、分割した金型をそれぞれ動作する動作機構が不要となり金型装置の小型化が図れる。また、全ての前記分割体が連結部４０ａによって連結されているので、カムシリンダ４０を完成させるのに必要な全ての分割体を１つの組部品として取り扱うことができる。
【００３７】
さらに、カムシリンダ４０は、マグネット６１とは別体に形成され、このカムシリンダ４０がマグネット１６の内壁に固定されている。このため、カムシリンダ４０を展開した状態で成型した後、このカムシリンダ４０をリング状のマグネット６１の内壁に固定することにより正確なリング状にすることができる。また、カムシリンダ４０が樹脂で形成されているので、移動レンズ体２０、３０に形成した突起２２１、３２１との摺動性を考慮した材料の選択が容易になる。しかも、樹脂は可撓性が大きく、分割体をリング状にするのに伴い連結部を屈曲する際の伸縮に対して耐性があるので、カムシリンダ４０を破損することなくリング状にすることができる。
【００３８】
［その他の実施の形態］
図７（Ａ）、（Ｂ）は、図１に示すレンズ駆動装置におけるカムシリンダの変形例１を展開し、連結部周辺を拡大して示す拡大図、およびカムシリンダをリング状にし、連結部周辺を拡大して示す拡大図である。
【００３９】
上記形態において、連結部４０ａは、図４（Ｂ）に示すように、分割部４０ｂから先端に向かって尖ったくちばし状に突出形成され、その先端が連結されているが、連結部４０ａは、必ずしもこのように形成させる必要はない。すなわち、図７（Ａ）に示すような連結部４０ａ’のように平らに形成してもよい。いずれの連結部４０ａ、４０ａ’の構成であっても、リング状にすると、図５（Ｂ）および図７（Ｂ）に示すように略同一の形状となる。
【００４０】
図８（Ａ）、（Ｂ）は、図１に示すレンズ駆動装置におけるカムシリンダの変形例２を展開し、光軸方向から見た平面図、および（Ａ）における連結部周辺を拡大して示す拡大図である。図９（Ａ）、（Ｂ）は、図８に示すカムシリンダをリング状にし、光軸方向から見た平面図、および（Ａ）における連結部周辺を拡大して示す拡大図である。
【００４１】
上記形態において、連結部４０ａは、図５（Ａ）に示すように、カムシリンダ４０をリング状にしたときの外壁側に形成されているが、図９（Ａ）に示すようにカムシリンダ４３をリング状にしたときの内壁側に連結部４３ａを形成してもよい。本形態の連結部４３ａは、連結される互いの分割部４３ｂの外壁側を取り除くことにより内壁側が尖ったくちばし状に突出形成され、その先端が連結されている。なお、カムシリンダ４３の内壁にはカム溝４１’、４２’が形成されている。また、カムシリンダ４３は、図８（Ａ）に示すような展開した状態で出射成型された後、両側に位置する分割体の連結部４３ａが形成された分割部４３ｂと反対側に位置する分割部４３ｂを互いに当接させることにより、図９（Ａ）に示すようなリング状でマグネット６０の内壁に固定されている。
【００４２】
図１０（Ａ）、（Ｂ）は、図１に示すレンズ駆動装置におけるカムシリンダの変形例３を展開し、連結部周辺を拡大して示す拡大図、およびカムシリンダをリング状にし、連結部周辺を拡大して示す拡大図である。
【００４３】
上記形態では、図８（Ｂ）に示すように分割部４３ｂを突出形成した先端が尖った形状に連結されているが、必ずしもこのように連結される必要はない。すなわち、図１０（Ａ）に示すように連結しても構わない。いずれの連結部４３ａ、４３ａ’の構成であってもリング状にした連結部の構造は、図９（Ｂ）および図１０（Ｂ）に示すように略同一の構造になる。
【００４４】
さらにまた、上記形態では、図１に示すように、マグネット６１の内壁にロータとしてのカムシリンダ４０が接着固定されているが、マグネット６１自身をロータとしてもよい。すなわち、マグネット６１を周方向に分割された複数の分割体により構成し、内壁にカム溝を形成すれば、マグネット６１と別体でロータとしてのカムシリンダ４０を設ける必要がなく、部品点数を削減できる。
【００４５】
また、上記形態では、図３（Ｂ）に示すように、周方向に隣接するカム溝対が、連結部４０ａを中心にして周方向に分離しているが、２つの隣接する分割体に跨っていてもよい。すなわち、図５（Ａ）、（Ｂ）に示すように、連結部４０ａが、カムシリンダ４０をリング状にしたときの外壁側に形成されたものでは、図５（Ｂ）に示すように互いに当接した内壁側を利用すれば、端部４０ｂまでカム溝４１またはカム溝４２を形成することができるため、カム溝４１またはカム溝４２を２つの隣接する分割体に跨って構成することができる。
【００４６】
さらに上記形態では、カムシリンダ４０にカム溝４１、４２が形成され、移動レンズ体２０、３０に突起部２２１、３２１が形成されているが、カムシリンダ４０に突起部を形成し、移動レンズ体２０、３０にこの突起部に係合するカム溝を形成するようにしてもよい。
【００４７】
さらにまた、上述の各実施の形態や変形例では、レンズ駆動装置１をカメラ付き携帯電話機のカメラ部分の機構として組み込んだ例を示したが、これらのレンズ駆動装置１や薄型カメラは、モバイルコンピュータ、ＰＤＡ等の他の携帯機器に使用したり、監視カメラ、医療用カメラ等他のカメラ装置や、自動車、テレビ等の電子機器にも組み込むことができる。
【産業上の利用可能性】
【００４８】
本発明は、カメラ装置に応用できる。また、カメラ機能を有する携帯電話機等の携帯機器に適用できる。さらには、レンズの位置切り換え機構を備えている電子機器であれば、すべての電子機器に組み込むことが可能である。
【図面の簡単な説明】
【００４９】
【図１】本発明を適用したレンズ駆動装置の断面図である。
【図２】図１に示すレンズ駆動装置に用いた回転阻止部材の斜視図である。
【図３】（Ａ）、（Ｂ）、（Ｃ）は、図１に示すレンズ駆動装置において、移動レンズ体の供回りを阻止するための構成の説明図、カムシリンダに形成されているカム溝の説明図、および図２（Ｂ）に示すカム溝のＡ−Ａ’断面図である。
【図４】（Ａ）、（Ｂ）は、カムシリンダを展開し、光軸方向から見た平面図、および（Ａ）における連結部周辺を拡大して示す拡大図である。
【図５】（Ａ）、（Ｂ）は、図４に示すカムシリンダをリング状にし、光軸方向から見た平面図、および（Ａ）における連結部周辺を拡大して示す拡大図である。
【図６】本発明を適用したレンズ駆動装置を搭載したカメラのシステム構成図である。
【図７】（Ａ）、（Ｂ）は、図１に示すレンズ駆動装置におけるカムシリンダの変形例１を展開し、連結部周辺を拡大して示す拡大図、およびカムシリンダをリング状にし、連結部周辺を拡大して示す拡大図である。
【図８】（Ａ）、（Ｂ）は、図１に示すレンズ駆動装置におけるカムシリンダの変形例２を展開し、光軸方向から見た平面図、および（Ａ）における連結部周辺を拡大して示す拡大図である。
【図９】（Ａ）、（Ｂ）は、図８に示すカムシリンダをリング状にし、光軸方向から見た平面図、および（Ａ）における連結部周辺を拡大して示す拡大図である。
【図１０】（Ａ）、（Ｂ）は、図１に示すレンズ駆動装置におけるカムシリンダの変形例３を展開し、連結部周辺を拡大して示す拡大図、およびカムシリンダをリング状にし、連結部周辺を拡大して示す拡大図である。
【符号の説明】
【００５０】
１  レンズ駆動装置
３  電磁機構（駆動手段）
７  変換機構
１０  固定レンズ体
１１  固定レンズ
１２  回転阻止部材
２０、３０  移動レンズ体
２１  前側の移動レンズ
３１  後側の移動レンズ
４０  カムシリンダ（ロータ）
４０ａ、４０ａ’  連結部
４０ｂ  分割部
４１、４２、４１’、４２’  カム溝（凹部）
４３ａ、４３ａ’  連結部
４３ｂ  分割部
６０  マグネット
２２１、３２１  突起部（凸部）
【図１】
2005208354.tif 000003
【図２】
2005208354.tif 000004
【図３】
2005208354.tif 000005
【図４】
2005208354.tif 000006
【図５】
2005208354.tif 000007
【図６】
2005208354.tif 000008
【図７】
2005208354.tif 000009
【図８】
2005208354.tif 000010
【図９】
2005208354.tif 000011
【図１０】
2005208354.tif 000012